(57)【要約】 【課題】  弾丸の発射ガス圧を利用して、発射弾数を正確に計数、表示でき、既成の小銃に簡単に着脱できる発射弾数計数装置を提供するものである。【解決手段】  銃身３先端のガス筒６の規整子装着孔６ｂに発射弾数計数装置７を検出部１０に設けたロックナット１３により螺着する。検出部１０には、シリンダー５に開口するガス導入室１５と銃身３のガス漏れ孔４とを連通する発射ガスの導入通路１４が設けられており、また、歪みセンサ１７が設けられている。弾丸２７が発射されると、ガス導入室１５に導入された発射ガスによって歪みセンサ１７が検出部１０の歪みを検出して信号を筐体８の処理手段９に出力する。処理手段９は信号に基づき計数を行い、表示手段２１により発射弾数を表示する。【選択図】  図１
2005226843.tif 000002
【特許請求の範囲】
【請求項１】
弾丸の発射ガス圧を利用して発射弾数を計数し、表示する小銃の発射弾数計数装置において、規整子を螺合するめねじ孔を利用して規整子装着孔に取り付けられる検出部を備え、その検出部にはガス圧作動機構へ連通するガス導入室と、検出部を取り付けたときに銃身に形成されたガス漏れ孔とガス導入室とを連通する発射ガスの導入通路と、ガス導入室の発射ガスによる歪みを検出する歪みセンサとを設け、この歪みセンサの出力に基づいて発射弾数を計数し、表示するように構成したことを特徴とする小銃の発射弾数計数装置。
【請求項２】
検出部は、ガス圧作動機構へ連通するように銃身後方を開放し、内側をガス導入室とした有底筒状のガス導入筒を備えており、前記ガス導入筒の底壁前面に、歪みセンサを取り付けて成ることを特徴とする請求項１記載の小銃の発射弾数計数装置。
【請求項３】
発射弾数を計数する処理手段と、発射弾数を表示する表示手段とを筐体内に設け、その筐体から検出部を突出したことを特徴とする請求項１または２記載の小銃の発射弾数計数装置。
【発明の詳細な説明】
【技術分野】
【０００１】
この発明は、小銃における発射弾数の計数装置に係るものである。
【背景技術】
【０００２】
小銃における発射弾数の計数装置として、従来、特許文献１〜３のものがある。特許文献１は、発射ガスを空隙部に導入して空隙部内でピストンを往復運動させ、その往復運動の回数を機械的、または、電気的に表示するようにしたものであり、既成の銃先端に取り付ける形態として、銃口にアタッチメントを取り付け、アタッチメントから長いパイプを引き出して発射ガスを木被部のカウンターまで導くものが開示してある。 
【０００３】
特許文献２には、射手の手元に設置され、発射弾丸の衝撃波と発射音で弾丸発射を認知する発射弾数カウンタが開示されている。また、特許文献３のように、銃の振動と発射音とから弾丸発射を検知するものも公知である。
【０００４】
上記特許文献１の技術では、長いパイプでガスをカウンターまで導くので、圧力低下の恐れがあって、カウンター動作が正確に行なわれない懸念がある。また、カウンター、アタッチメントを夫々別装置として銃の２箇所に取り付けるため、装着が面倒である。特許文献２，３は発射ガスを利用したものでなく、音や銃の衝撃など、ノイズとして検出されやすい物理量を基準としているので、発射弾数の検出が確実と言えない。
【特許文献１】実開昭５５−１６２８００号公報
【特許文献２】特開平８−１５２２９８号公報
【特許文献３】特開平１０−８９８９４号公報
【発明の開示】
【発明が解決しようとする課題】
【０００５】
この発明は、弾丸の発射ガス圧を有効に利用して、発射弾数を正確に計数し、表示する発射弾数計数装置を提供することを目的とする。また、他の目的は、既成の小銃に簡単に着脱できる前記装置を提供しようとするものである。
【課題を解決するための手段】
【０００６】
本発明の発射弾数計数装置は、弾丸の発射ガス圧を利用して発射弾数を計数し、表示する小銃の発射弾数計数装置において、規整子を螺合するめねじ孔を利用して規整子装着孔に取り付けられる検出部を備え、その検出部にはガス圧作動機構へ連通するガス導入室と、検出部を取り付けたときに銃身に形成されたガス漏れ孔とガス導入室とを連通する発射ガスの導入通路と、ガス導入室の発射ガスによる歪みを検出する歪みセンサとを設け、この歪みセンサの出力に基づいて発射弾数を計数し、表示するように構成したことを特徴とする。
検出部は、ガス圧作動機構へ連通するように銃身後方を開放し、内側をガス導入室とした有底筒状のガス導入筒を備えており、前記ガス導入筒の底壁前面に、歪みセンサを取り付けて成る。
発射弾数を計数する処理手段と、発射弾数を表示する表示手段とを筐体内に設け、その筐体から検出部を突出したことを特徴とする。
【発明の効果】
【０００７】
本願装置では、規整子螺合用のめねじ孔を利用して検出部を規整子取付孔に取り付けることで、銃身のガス漏れ孔と検出部のガス導入通路とが直ちに連通し、検出部のガス導入孔に発射ガスを導入する形態なので、小銃側に格別の加工を必要とせず、検出部を小銃に簡単に取り付け、取り外しでき、検出部が銃身にごく近い規整子取付孔に取り付けられるので、発射ガス圧が低下する恐れも無い。
【０００８】
そして、発射ガスの圧力により検出部のガス導入室が歪むことをセンサで計測し、そのセンサ出力に基づいて発射弾数を計数するので、ガス導入室に発射ガスが導入されない限りセンサが歪みを検知しないため、たとえば、小銃を落下させるなどの衝撃を発射と誤認するようなことがなく、発射弾数を正確にカウントできる。
【実施例】
【０００９】
ガス圧作動による自動装填式小銃１は、銃腔２内の発射ガスを銃身３に設けたガス漏れ孔４から規整子内部の通過孔を経てシリンダー５内に導いて図示しないガスピストンを後退させ、そのガスピストンの移動でスライドを後退させ、スライドが復座バネを圧しつつ所定の位置まで後座し、その後復座ばねのばね力で復座するものであり、これによりガス圧作動機構が構成されており、そのスライドが後復座することで排莢、装填、機関部の撃発準備が行なわれるようになっている。こうした構造は、例えば特公平４−７８９１８号公報に開示されている。図１に示すように、銃身３先端にはガス筒６が取り付けられ、ガス筒６の後方に前記シリンダー５が取り付けられ、ガス筒６に設けられた規整子装着孔６ｂの前部には規整子を螺合するめねじ孔６ａが形成されている。通常は、このめねじ孔６ａに規整子が螺合されて、上記のような動作が行なわれる。
【００１０】
このようなガス圧作動による自動装填式小銃１に装着する本発明の発射弾数計数装置７は、図１に示すように、耐水、防塵の筐体８内に、信号処理手段９を備えており、筐体８後方へ検出部１０が突出している。検出部１０は筐体８の後部に固着されている。検出部１０は、有底円筒状のガス導入筒１１とその前方に一体成形されたネジ軸部１２とから成る。ネジ軸部１２には、筐体８の後部との間にロックナット１３が回動可能に外嵌されている。ロックナット１３は計数装置７とガス筒６との間を固定するものである。ガス導入筒１１の外周壁には、従来の規整子同様、銃身３のガス漏れ孔４と連通する導入通路１４が形成してあり、ガス導入筒１１内側はピストン側に開口するガス導入室１５としてある。ネジ軸部１２中心にはガス導入筒１１の底壁１１ａまで達する中心孔１６が形成され、前記底壁１１ａ前面には、歪みセンサ１７が取り付けてある。歪みセンサ１７は、ガス導入筒１１の直径方向の歪みを測定して出力電圧とするものであり、例えばひずみゲージを用いている。また、歪みセンサとして底壁１１ａ前面にピエゾ素子を取り付けて底壁１１ａの軸線方向の歪みを測定するようにしてもよい。
【００１１】
筐体８は銃身３が貫通できる貫通孔１８が形成されており、銃身３先端側から貫通孔１８に銃身３を通して、規整子を外した規整子装着孔６ｂに検出部１０を挿通し、ガス筒６のめねじ孔６ａに、検出部１０のロックナット１３の雄ネジ部１３ａを螺合する。筐体８は、図２の如く、銃身３に取り付けられたときに照星１９の妨げにならないようになっている。前記筐体８内部に設けられた信号処理手段９は前記歪みセンサ１７からの信号を処理するものである。処理手段９は、マイクロコンピュータを中心とした電子的な処理装置であり、ガス漏れ孔４からガス導入室１５に発射ガスが導入された時の歪みに対応した出力があると、発射が行なわれたと認識して発射弾数をカウントするカウント部２０と、カウント部２０でカウントされた弾数を表示手段２１に表示するための出力部２２とを備えている。また、出力部２２からの信号により弾数を表示する表示手段２１を筐体８周面に設けている。これらの処理手段９、表示手段２１は、筐体８に内蔵された電源（電池）２３で動作するものである。
【００１２】
また、筐体８は操作部２４を備えており、操作部２４のスイッチを操作することでカウント部２０でカウントされた弾数を補正することができる。この操作部２４のカウンタ補正スイッチはカウンタ補正特殊工具によって操作するようになっており、例えばカウンタ補正スイッチにカウンタ補正特殊工具としてのキー２５を挿入して操作するものや、図３に示すように複数の突起を備えたカウンタ補正特殊工具２５ａでカウンタ補正スイッチ２６ａとしての複数のスイッチを同時に押して操作するもの等適宜な構成でよいが、射手がカウンタ補正特殊工具を用いないで簡単に発射弾数を変更できないような構成となっている。このカウンタ補正スイッチは、例えば、検出部１０がめねじ孔６ａに確実に嵌っていない場合や電池２３が外れている場合等により実包を発射しても射撃弾数が計数されないときに、カウンタ補正特殊工具２５を用いて操作され、カウント値を補正する。
【００１３】
計数装置７は、小銃１に装着される前に先ず、電池２３が取り付けられることで発射弾数の計数が可能となる。計数装置７は、電池２３が取り外された状態ではカウント部２０のカウント値がリセットされた状態となっている。既成の小銃１から規整子を取り外し、計数装置７の検出部１０をめねじ孔６ａに螺合し、ロックナット１３でロックして筐体８ごと計数装置７全体が小銃１に取り付けられる。検出部１０が螺合されると、銃身３側のガス漏れ孔４とガス導入筒１１の導入通路１４とが対向して連通する。この状態で、実包が発射され、弾丸２７が銃身３のガス漏れ孔４を通過すると、発射ガスは銃身３のガス漏れ孔４、ガス筒６の通路を経て、検出部１０の導入通路１４を通りガス導入室１５に導入される。ガス導入室１５へ導入されたガスは、ガス導入筒１１の後ろ側開口からシリンダー５を経てピストンを動作させ、これによって従来通り、スライドを後座させるなどの一連のガス圧による機関部動作が行なわれる。
【００１４】
一方、ガス導入室１５に導入された発射ガス圧によりガス導入室１５が直径方向に歪むので、ガス導入室１５の底壁１１ａに取り付けた歪みセンサ１７がこの歪みを検出して歪みに応じた大きさの出力を処理手段９に出力する。処理手段９は、この出力信号を予め設定されている弾丸発射時のガス圧によるガス導入室１５の歪みに対応した基準値と比較し、その基準値以上であれば、発射が行なわれたと判断して、カウント部２０のカウント値を”１”繰り上げる。次いで、そのカウント値を出力部２２が表示手段２１に向けて出力し、表示手段２１は弾数を表示する。
【００１５】
歪みセンサ１７は、ガス導入室１５の発射ガスによる歪みを検知するものであるから、銃１を落下させるなどの衝撃が銃１に作用しても、これを”発射による歪み”として検出することは無く、また、音による発射検出でもないので他銃の影響も受けることなく、発射弾数を正確に検知できる。また、発射ガスは、銃腔２から直ちにガス導入孔１１に導入されるので、ガス圧低下の問題もない。射撃終了後は、計数装置７は小銃１から取り外されて規整子が再び装着され、計数装置７から電池２３が取り外されることでカウント部２０はリセットされる。本実施例の計数装置７では、前記のように電池２３の取付け取外しにより計数装置７のＯＮ、ＯＦＦや発射弾数の計数値をリセットするようにしているので、簡単な構成で小型軽量、取扱いを容易なものとしているが、勿論、筐体８にＯＮ、ＯＦＦスイッチやリセットスイッチを設けても良い。
【００１６】
尚、前記実施例では計数装置７を筐体８と検出部１０とを一体として計数装置７全体を小銃１に取り付けたが、図４に示すように検出部１０Ａと筐体８Ａとを分離して検出部８Ａのみ小銃１の規整子を外しためねじ孔６ａに取り付け、筐体８Ａを小銃１の他の部分や射手の肩に掛着したり腰に止着して携帯するようにして、有線または無線により歪み検出の出力信号を伝えるようにしてもよい。このとき検出部１０Ａは規整子と略同様な大きさとすることが可能である。また、前記実施例において、筐体８には銃身１が貫通できる貫通孔１８が形成されていたが、貫通孔１８に替えて下方に向けて開口した銃身を遊嵌できる馬蹄形状（Ｕ字形状）の遊嵌溝を設けても良いし、銃身を左右から挟み込む等するようにしても良い。この筐体に遊嵌溝または検出部１０Ａと筐体８Ａとを分離したものでは、銃身１先端部分へのライト２８や照準用レーザー発振機や銃剣等の他のアクセサリーの取り付けの制限が緩和され、通常の小銃と同様に複数種類のアクセサリーを装着できる。
【図面の簡単な説明】
【００１７】
【図１】本願発明の小銃の発射弾数計数装置の概略構成図である。
【図２】銃身の先端部分への発射弾数計数装置の装着を示す側面図である。
【図３】他のカウンタ補正スイッチとカウンタ補正特殊工具を示す図である。
【図４】検出部と筐体とを分離した発射弾数計数装置を示す概略図である。
【符号の説明】
【００１８】
１  小銃
３  銃身
４  ガス漏れ孔
６ａ  めねじ孔
６ｂ  規整子装着孔
７  発射弾数計数装置
８  筐体
９  処理手段
１０  検出部
１１  ガス導入筒
１１ａ  底壁
１４  導入通路
１５  ガス導入室
１７  歪みセンサ
２１  表示手段
２７  弾丸
【図１】
2005226843.tif 000003
【図２】
2005226843.tif 000004
【図３】
2005226843.tif 000005
【図４】
2005226843.tif 000006